(57)【要約】【課題】ＡＣコード及びＤＣコードを見栄えよく、しかも、コードに無理がかかることなく確実に収納する。【解決手段】ＡＣコード３１及びＤＣコード３３を有する充電器本体３の外周壁面１５をコード巻付け収納部１７に形成し、そのコード巻付け収納部１７に対して前記ＡＣコード３１及びＤＣコード３３をコード延長方向に沿って３６０度巻付け収納する。【選択図】　　　図１
2004079320.tif 000002
【特許請求の範囲】
【請求項１】
入力用のＡＣコード及び出力用のＤＣコードを有する充電器であって、充電器本体の外周壁面は、前記ＡＣコード及びＤＣコードを充電器本体内から外へ延長突出させると共に、そのコード延長方向に沿ってコードを巻付けるコード巻付け収納部となっていることを特徴とする充電器構造。
【請求項２】
充電器本体は、交流を直流に変換する交流・直流変換回路部が収納配置された収納部と、収納部の上方開口を覆うと共に、収納部の上方開口外周より外方へ突出した着脱可能なカバー部と、持ち運び用の取手部とから成り、外側へ突出したカバー部の外周縁を、コード巻付け収納部の一方のコード外れ規制手段とすることを特徴とする請求項１記載の充電器構造。
【請求項３】
取手部は、空気が流れるダクト状に形成され、交流・直流変換回路部を有する回路制御基板と接近し、回路制御基板の外側との隙間を小さくする貫通孔タイプとしたことを特徴とする請求項２記載の充電器構造。
【発明の詳細な説明】
【０００１】
【発明の属する技術分野】
この発明は、バッテリを動力源として走行する電動車両のバッテリ充電に適する充電器構造に関する。
【０００２】
【従来の技術】
一般に電動車両のバッテリを充電する充電器は、入力用となるＡＣコードと、出力用となるＤＣコードとを有し、ＡＣコードは、商用電源となるコンセントに接続される一方、ＤＣコードにはバッテリが接続されることで、充電が行なわれるようになっている。
【０００３】
【発明が解決しようとする課題】
充電器のＡＣコード及びＤＣコードは、ある程度の作業自由度が確保できるように所定の長さを有する長尺物に作られている。加えてＤＣコードは、ＡＣコードに比べて非常に太い径となっているため、ＡＣコードの如く例えば、１８０度折返すことができないため、短く束ねることができず、充電完了後のコード処理は以外と面倒になっているのが現状である。
【０００４】
このために、例えば、充電器本体の外周にぐるぐるとコードを巻付ける等の手段をとっているが、見た目が悪いことと、しかも、巻き付けたコードがすぐに崩れてしまう等、収納時、あるいは持ち運びする時に問題がある。また、場合によってはコードの延長方向に対して逆らう方向に繰返し巻くようになるため、コードの延長方向と逆らう根元部は、内部のコード線が切断し易くなる等の悪影響を招く。
【０００５】
そこで、この発明はＡＣコードとＤＣコードに無理な屈曲が起こることなく確実に見栄えよく巻付けることが可能で、しかも、屋外での使用時に、雨水の影響を受けずに済むと共に、効率のよい内部冷却が得られる充電器構造を提供することを目的としている。
【０００６】
【課題を解決するための手段】
前記目的を達成するために、この発明の請求項１にあっては、入力用のＡＣコード及び出力用のＤＣコードを有する充電器であって、充電器本体の外周壁面は、前記ＡＣコード及びＤＣコードを充電器本体内から外へ延長突出させると共に、そのコード延長方向に沿ってコードを巻付けるコード巻付け収納部となっていることを特徴とする。
【０００７】
これにより、充電完了後のＡＣコード及びＤＣコードを、充電器本体のコード巻付け収納部に対して３６０度巻付けることで、コードの収納作業が迅速に完了する。
【０００８】
この場合、コード巻付け収納部は径の大きいリング状に形成されることに加えて、ＡＣコード及びＤＣコードをコード延長方向に沿って巻付けることができるため、太い径のコードにあってもコード自体に無理が起きない。
【０００９】
また、見栄えもよく、しかも、崩れることのない確実な収納状態が得られるようになる。
【００１０】
また、この発明の請求項２にあっては、充電器本体を、交流を直流に変換する交流・直流変換回路部が収納配置された収納部と、収納部の上方開口を覆うと共に、収納部の上方開口外周より外方へ突出した着脱可能なカバー部と、持ち運び用の取手部とで構成し、外側へ突出したカバー部の外周縁を、コード巻付け収納部の一方のコード外れ規制手段とすることを特徴とする。
【００１１】
これにより、例えば、屋外で充電中に雨が降ってきても、カバー部は傘となるため、収納部内への雨水の浸入を確実に阻止し、内部の交流・直流変換回路部に何等悪影響を与えることはない。
【００１２】
また、コード巻付け収納部に巻付けたＡＣコード及びＤＣコードは、コード外れ規制手段によって上方へ外れることがなくなる。また、取手部を持って持ち運ぶ時に誤って落下させた場合でも、外側へ突出したカバー部の外周縁は、先に地面と当接することで、衝撃を受け止める衝撃吸収部材として機能し、衝撃時のショックを柔らげる役目をはたす。
【００１３】
また、この発明の請求項３にあっては、取手部を、空気が流れるダクト状に形成され、交流・直流変換回路部を有する回路制御基板と接近させ、回路制御基板外側との隙間を小さくする貫通孔タイプとすることを特徴とする。
【００１４】
これにより、取手部は充電器本体の成形時に同時に一体成形されるようになるため、取手部を新たに設けなくても済むようになり、コストの面で大変好ましいものとなる。また、取手部によって、回路制御基板外側の隙間が小さく抑えられることで、その領域は通気抵抗となるため、空気は回路制御基板の外側を通ることなく、内側を通る流れが得られる。この結果、交流・直流変換回路部の確実な冷却が行なえるようになる。
【００１５】
【発明の実施の形態】
以下、図１乃至図７の図面を参照しながらこの発明の実施の形態について具体的に説明する。
【００１６】
図１は充電器１の概要斜視図を示している。充電器１の充電器本体３は、合成樹脂材により収納部５とその収納部５の上方開口を覆うカバー部７とから成る平面横長の楕円形状に作られ、中央部上端は取手部９となっている。
【００１７】
取手部９は、カバー部７及び収納部５をそれぞれ成形する時に、同時に一体成形することで、取手部９を別途設けなくても済むよう平面から見て上下に貫通する貫通孔タイプとなっている。取手部９は、図４に示すように収納部５の取手開口周端縁１１の下辺領域が収納部５内に配置セットされた後述する回路制御基板１３の外側（図面上側）と接近し合うことで、回路制御基板１３との間に形成される隙間を小さく抑えるようになっている。これは、回路制御基板１３の外側（図面上側）を矢印ａの如く空気が流れるのを阻止する通気抵抗阻止手段として働くようにするためである。
【００１８】
収納部５は、底部から外周壁面を形成する周壁１５が短く立上がる形状となっており、上面は上方開口となっている。収納部５の底部裏面側には、図６に示すように４箇所に支脚部１６が設けられ、支脚部１６を設置することで所定の場所に置いて使用することが可能となっている。
【００１９】
収納部５の内部に回路制御基板１３が設けられていることは前記した通りであるが、周壁１５の外周壁面は、径の大きいリング状に形成された後述するコード巻付け収納部１７となっている。
【００２０】
回路制御基板１３は、図４において左右に長い水平基板１３ａと水平基板１３ａの一方（図４上方）から立上がる垂直基板１３ｂと、前記水平基板１３ａに設置されたヒートシンクとなる放熱板１３ｃとで構成されている。水平基板１３ａ及び垂直基板１３ｂには交流・直流変換回路部１９の回路部品が装着され、水平基板１３ａは収納部５の底部にビス等の取付け手段によって固定支持されている。
【００２１】
垂直基板１３ｂは水平基板１３ａに固定支持され、その外側となる上方（図４上側）は前記した如く取手部９の下辺領域と接近し合うことで隙間が小さく抑えられている。
【００２２】
放熱板１３ｃは、図５に示すように熱伝導性の良い材質により断面下向きコ字状に形成され、前記垂直基板１３ｂの内側で、かつ、水平基板１３ａとでダクト状に形成されている。したがって、前記放熱板１３ｃの内部を空気が流れることで、例えば、パワー部品から発生する熱を拡散し、効率よく放熱することが可能となっている。
【００２３】
ダクト状に形成された放熱板１３ｃの一方には、冷却ファン２３が設けられ、冷却ファン２３は収納部５の周壁１５に設けられた吹出口２５と対向し合う位置に配置されている。放熱板１３ｃの他方は、空気取入用の開放口２７となっていて、収納部５の周壁１５に設けられた外気取入口２９と対向し合う位置に配置されている。
【００２４】
吹出口２５と外気取入口２９は、図７に示すように内側から外側へ向け下降傾斜する固定ルーバとなっていて、上方から雨水等が直接内部へ浸入するのを阻止する手段となっている。この場合、吹出口２５と外気取入口２９の下方で、収納部５の底部に、万一雨水等が浸入したとしても、その浸入した雨水が速やかに外へ排水される水抜き孔を設けるようにすることが望ましい。
【００２５】
交流・直流変換回路部１９は、前記した如く交流を直流に変換するところで、入力用のＡＣコード３１と出力用のＤＣコード３３とを有している。ＡＣコード３１のプラグ３５は、商用電源となるコンセントに接続される一方、ＤＣコード３３の充電端子３７には充電するバッテリが接続されるようになっている。
【００２６】
ＡＣコード３１及びＤＣコード３３は、図４に示すようにクランク状に屈曲成形された屈曲部３９から周壁１５に沿って外へ延長され、そのままコード延長方向に沿ってコード巻付け収納部１７に無理なく巻付けられている。
【００２７】
コード巻付け収納部１７に巻付けられたＡＣコード３１及びＤＣコード３３は、コード巻付け収納部１７を横切るよう設けられた固定バンド４１によって動くことなく固定支持されている。
【００２８】
固定バンド４１は、一端がカバー部７に取付けられる一方、他端は自由端となっていて、その自由端側に設けられた係合孔４３は、図５に示すように収納部５の底面に設けられた係合突起部４５に対して係脱自在に係合支持された手段となっている。
【００２９】
この場合、係合孔４３と係合突起部４５との係合手段は、ホックタイプ，ボタンタイプ等のいずれの手段であってもよい。
【００３０】
収納部５を覆うカバー部７は、収納部５の外周より外側へ突出する形状に作られていて、上下に重ね合せ結合されている。具体的には、図４に示すように収納部５の支脚部１６領域を含め、収納部５及びカバー部７にそれぞれ対向し合う位置に複数設けられた取付ボス部４７を上下方向に重ね合せ、収納部５側となる下方から締結ビス４９を螺合させることで、収納部５の周壁１５上端縁に設けられた凹溝５０と、カバー部７に設けられた凸条５１とが係合し合う上下に重ね合せ結合された状態が得られるようになっている。
【００３１】
したがって、締結ビス４９を弛めて取外すことで、カバー部７の取外しが可能となり、メンテナンス等の作業が支障なく行えるようになっている。
【００３２】
カバー部７の外周縁７ａは、前記した如く収納部５の外周から外側へ突出することで、図３に示すようにコード巻付け収納部１７の一方の壁となるコード外れ規制手段５３としての機能と、落下時に合成樹脂材のもつ性質とで衝撃荷重を受け止める衝撃吸収部材としての機能とを併せ持つ構造となっている。
【００３３】
コード巻付け収納部１７は、一部領域が断面Ｕ字状の形状となっていて、取手部９の取手開口周端縁１１の上辺領域を含む全周、３６０度となっている。
【００３４】
断面Ｕ字状となるコード巻付け収納部１７の一方の壁は、前記した如くカバー部７の外周縁７ａによるコード外れ規制手段５３によって形成され、他方の壁は、前記収納部５に設けられた突出リブ５５によって形成されている。突出リブ５５は、図６に示すように、支脚部１６を利用した左右位置とその中央部位とに設けられることで、コードが外れ出るのを阻止するコードはずれ規制手段５７として作用するようになっている。
【００３５】
中央部位に設けられた突出リブ５５は、他の突出リブ５５より張り出し量が大きくなっている。これは、取手部９を上として充電器本体３を立てた時に、一箇所だけ大きく突出させることで、不安定となって倒れてしまう不安定要素を作り出す手段となっていて、充電器本体３を立てて使用することができないよう使用状態を特定するためである。
【００３６】
なお、図４において、５９はＡＣコード３１の変圧器を示している。
【００３７】
このように構成された充電器１によれば、ＡＣコード３１のプラグ３５を商用電源となるコンセントに差し込む一方、ＤＣコード３３の充電端子３７にバッテリを接続することで、バッテリ充電が行なえるようになる。
【００３８】
このバッテリ充電時に、例えば、屋外での充電中に雨が降ってきたとしても、カバー部７は傘となるため収納部５内への雨水の浸入を確実に阻止し、内部の交流・直流変換回路部１９に何等悪影響を与えることはない。
【００３９】
また、冷却ファン２５によって外気取入口２９から取入れられた空気は、隙間の小さい回路制御基板１３の外側を通ることなく、回路制御基板１３の内側を無理なく流れるようになり、熱を発生する交流・直流変換回路部１９を確実に冷却し、自己発熱による動作不良を回避する。
【００４０】
一方、充電完了後は、ＡＣコード３１、ＤＣコード３３を充電器本体３のコード巻付け収納部１７に対して３６０度巻付けることで、各コード３１，３３の収納が行なえるようになる。
【００４１】
この場合、ＡＣコード３１とＤＣコード３３は、コード延長方向に沿って巻付けることに加えて、巻付け領域は径の大きいリング状に形成されるため、コードが無理に折れ曲がる等の不具合は発生せず、内部のコード線に何等悪影響を与えることがなくなる。しかも、見栄えもよく確実に巻付けることができる。また、取付部９を持って持ち運びする時に誤って落下させた場合に、カバー部７の外周縁７ａは、先に地面と当接することで、その衝撃荷重を受け止める衝撃収納部材として働き、衝撃時のショックを柔らげるようになる。
【００４２】
【発明の効果】
以上、説明したようにこの発明の請求項１によれば、充電器本体に設けられたコード巻付け収納部により、ＡＣコードとＤＣコードを見栄えよく確実に収納することができる。しかも、コードが急激に折り曲がる等の無理が起きず内部のコード線に何等悪影響を与えることがなくなる。
【００４３】
また、この発明の請求項２によれば、収納部より突出したカバー部によって屋外で充電中に雨が降ってきたとしても雨水等の浸入を確実に防ぎ、内部の交流・直流変換回路部を雨水等から確実に保護する。
【００４４】
また、誤って落下させた時でも、外側へ突出したカバー部の外周縁が、先に地面と当接することで衝撃荷重を受け止める衝撃吸収部材として働き、衝撃時のショックを柔らげるメリットが得られる。
【００４５】
また、この発明の請求項３によれば、取手部を充電器本体の成形時に一体成形することができるため、新たに設ける必要がなくなりコストの面で大変好ましいものとなる。
【００４６】
また、取手部によって回路制御基板の外側隙間を小さく抑えて、空気の流れを阻止する通気抵抗とすることができるため、空気は回路制御基板の外側を通らずに内側を通る流れが得られる結果、交流・直流変換回路部を効率よく冷却し、自己発熱による動作不良を確実に回避する。
【図面の簡単な説明】
【図１】この発明にかかる充電器の概要斜視図。
【図２】充電器の概要平面図。
【図３】充電器の概要背面図。
【図４】（ａ）（ｂ）は充電器のカバー部を取外した概要平面図。
【図５】制御回路基板を示した概要説明図。
【図６】充電器の概要底面図。
【図７】吹出口及び空気取入口を示した内部機構を省略した充電器の概要切断説明図。
【符号の説明】
３　充電器本体
５　収納部
７　カバー部
７ａ　カバー部の外周縁
９　取手部
１５　周壁（外周壁面）
１３　回路制御基板
１７　コード巻付け収納部
１９　交流・直流変換回路部
３１　ＡＣコード
３３　ＤＣコード
５３　コード外れ規制手段
【図１】
2004079320.tif 000003
【図２】
2004079320.tif 000004
【図３】
2004079320.tif 000005
【図４】
2004079320.tif 000006
【図５】
2004079320.tif 000007
【図６】
2004079320.tif 000008
【図７】
2004079320.tif 000009